(57)【要約】本発明は、ホース挿入部とカラー支持部を含むステム（１２）を有するタイプの改良されたホース連結具（１０）である。連結具はさらに、係合連結部と、トルク伝達部（１８）、口輪支持部、および口輪支持部とトルク伝達部を通って延びる内周部を有するカラー（１６）とを備える。連結具は、ローレット目（４０）と軸方向ストップリング（２８）を含むカラー支持部によって改良される。さらに、カラー（１６）のトルク伝達部（１８）は、トルク伝達部（１８）を通って延びる内周部が相対回転しないようにステムのカラー支持部のローレット目（４０）に係合するように押し付け固定される。また、カラー（１６）の口輪支持部は、口輪支持部を通って延びる内周部が軸方向移動が制限されるようにステム（１２）の軸方向ストップリング（２８）に係合するように押し付け固定される。
2006509161.tif 000002
【特許請求の範囲】
【請求項１】
ホース挿入部およびカラー支持部を含むステムを備え、係合連結部と、トルク伝達部、口輪支持部、および前記口輪支持部と前記トルク伝達部を通って延びる内周部を有するカラーとを備えるタイプの改良されたホース連結具であって、
前記カラー支持部がローレット目と軸方向ストップリングを含み、
前記トルク伝達部が、前記トルク伝達部を通って延びる前記内周部が相対回転しないように前記ローレット目に係合するように押し付け固定され、
前記口輪支持部が、前記口輪支持部を通って延びる前記内周部が軸方向移動が制限されるように前記軸方向ストップリングに係合するように押し付け固定される
改良されたホース連結具。
【請求項２】
ホース挿入部およびカラー支持部を有するステムと、
係合連結部とを備え、
前記カラー支持部がローレット目および軸方向ストップリングを含み、
トルク伝達部、口輪支持部、および前記口輪支持部と前記トルク伝達部を通って延びる内周部を有するカラーを備え、
前記トルク伝達部が、前記トルク伝達部を通って延びる前記内周部が相対回転しないように前記ローレット目に係合するように固定され、
前記口輪支持部が、前記口輪支持部を通って延びる前記内周部が軸方向移動が制限されるように前記軸方向ストップリングに係合するように固定される
ホース連結具。
【請求項３】
前記口輪支持部に固定される口輪をさらに備える請求項２に記載のホース連結具。
【請求項４】
ホース端部連結具が
ホース挿入部およびカラー支持部有するステムを含み、
前記カラー支持部がローレット目および軸方向ストップリングを有し、
トルク伝達部、口輪支持部、および前記口輪支持部と前記トルク伝達部を通って延びる内周部を有するカラーを含み、
前記トルク伝達部が、前記トルク伝達部を通って延びる前記内周部が相対回転しないように前記ローレット目に係合するように固定され、
前記口輪支持部が、前記口輪支持部を通って延びる前記内周部が軸方向移動が制限されるように前記軸方向ストップリングに係合するように固定され、
係合連結部を含み、
ホースが前記ホース端部連結具に連結され、
装置連結具を含み、
前記装置連結具が前記ホース端部連結具の前記係合連結部に水密的に係合する
ホース管継手およびホース。
【請求項５】
前記口輪支持部と前記ホースに固定された口輪をさらに備え、前記ホースが前記口輪により押し付け絞られて固定される請求項４に記載のホース管継手およびホース。
【請求項６】
ホース挿入部とカラー支持部を有するステムを準備し、
前記カラー支持部の部分にローレット目をつけ、
前記カラー支持部と前記ホース挿入部の境界の近くに環状のくぼみを成形する
ステップを備えるホース連結具を製造する方法。
【発明の詳細な説明】
【技術分野】
【０００１】
本発明は概略的に水圧チューブおよびホース管継手に関する。より詳しくは、本発明は、そのような管継手のホース端部連結具に関する。特に、本発明は、チューブとホース管継手のための、改良されたカラーとホース端部連結具のカラー支持部とに関する。
【背景技術】
【０００２】
従来ホース管継手が知られている。ホース連結部あるいは連結具は、チューブあるいはステム部とカラーと、選択的に口輪を含んでもよい。カラーはチューブの中央部に嵌合され、圧縮されてその場所に固定される。口輪があるならば、カラーの部分の周りに押し付けられ、その場所に固定される。チューブはホースの開口端に挿入されるホース挿入部を有する。口輪は、挿入部を含むホース端部の周りに押し付けられ、あるいは絞られ、これによりホースを口輪とホース挿入部の間に固定する。これにより、全ての部分が永久的に密閉されて固定され、ホース端部の軸方向のあるいは回転方向の動きが阻止される。ホース連結具はさらに、ネジ込み、押し付け、雄ネジ、雌ネジを含む多くのスタイルの係合連結部を有してもよい。ある係合連結部の設計は、関連した連結部の製造を可能にするために、カラーの使用を必要とする。この係合連結部を、対象となっている設備、機械あるいは装置に連結された連結具の協働部分に係合させることにより、流体の液密を保った移送を可能にする特殊な流体アセンブリが完成する。
【０００３】
ネジ付き係合連結部を有するこれらの連結具において、係合連結部が締付けられて設備の連結具の協働部分との係合を完成させるときに、連結具を回転に対して安定させるために、カラーは通常レンチ面を含む。口輪は、連結具とホースが、ホースにかかる高い動作圧力あるいは引張り荷重の結果である厳しい軸荷重を受ける設計において用いられる。
【０００４】
大きな長手方向荷重を支持しつつホース端部連結具に口輪を取付ける、押し付け固定カラーの設計が存在する。しかし、このカラーは、かなり低いトルク値においてステムに対して回転する。このカラーはカラーのみの側部に押し付け固定される。さらに、高トルクに耐えるために、カラーの内部スプラインに関連してローレット面が用いられてきた。しかし、この設計は、口輪が要求される軸荷重が高い場合に用いることはできない。口輪が高い軸荷重を支持しないからである。このカラーはまた、カラーの一方の側面のみにおいて押し付け固定される。カラーをステムにロウ付けすることも従来知られている。これは非常に堅いカラーを有する連結具を製造するが、ロウ付けがもたらし、またコストが上がり、製造が複雑になるという製造上の困難性を伴う。
【０００５】
したがって、ロウ付けの欠点をなくして、トルクがカラーのレンチ部にかかるときのステムに対する捻れと、ホースによって作用する力に反応する口輪により押し付られるときのステムに対する軸方向の変位との、両方に対するカラーの抵抗性能における改良を達成する、別体のカラーを有するホース連結具が必要である。
【発明の開示】
【発明が解決しようとする課題】
【０００６】
本発明は目的として、トルクがカラーのレンチ部にかかるときのステムに対する捻れと、ホースによって荷重がかかるときのステムに対する軸方向の変位とに対して、カラーの抵抗を含む性能における改良を備えたホース連結具を提供する。
【０００７】
本発明は、ホース挿入部とカラー支持部を含むステムを有するタイプの改良されたホース連結具である。連結具はさらに、係合連結部と、トルク伝達部、口輪支持部、および口輪支持部とトルク伝達部を通って延びる内周部を有するカラーとを備える。連結具は、ローレット目と軸方向ストップリングを含むカラー支持部によって改良される。さらに、カラーのトルク伝達部は、トルク伝達部を通って延びる内周部が相対回転しないようにステムのカラー支持部のローレット目に係合するように押し付け固定される。また、口輪支持部は、口輪支持部を通って延びる内周部が軸方向移動が制限されるようにステムの軸方向ストップリングに係合するように押し付け固定される。
【０００８】
同様な数字が同様な部分を示し、明細書に組み込まれて明細書の一部を構成する添付図面は、本発明の好ましい実施形態を示し、記述とともに、本発明の原理を説明するために役立つ。
【発明を実施するための最良の形態】
【０００９】
図１および２を参照すると、このホース連結具１０の一つの好ましい実施形態はバーブ１４を有するステム１２を含み、ステムにはレンチ面１８を有するカラー１６が配置されている。またステム１２には、ナットアバットメント４４を有するナット２０が配置されている。ステム１２にカラー１６を押し付け固定する工程により、固定マーク２２が残っている。ステム１２の詳細は図３および４に示されている。特に、ローレット目２４、軸方向ストップリング２６、アセンブリストップリング２８、ランプ３０、およびステムアバットメント３２が明らかである。カラー１６の詳細は図５および６に示されている。特に、口輪くぼみ３４、軸方向保持リッジ３６、アセンブリリッジ３８、ローレット係合面４０、および自由面４２が明らかである。カラー１６は、トルク伝達部Ｄおよび口輪支持部Ｅを有するように示されている。
【００１０】
好ましい実施形態の組立ては、図示されるように、ナットアバットメント３２がステムアッバトメント４４の近くに、あるいは近接するまで、ステム１２にナット２０を配置することを含む。そしてカラー１６はステム１２において、アセンブリリッジ３８がアセンブリストップリング２８に当接するところに取付けられる。アセンブリストップリング２８は任意である。いくつかの例において、バーブ１４と、ローレット目２４を有するステム１２の部分との直径の差は非常に小さく、アセンブリストップリング２８は識別しにくい。アセンブリストップリング２８が利用でき、かつ識別できる場合、アセンブリストップリング２８とアセンブリリッジ３８はランプ３０により補助され、ステム１２にカラー１６を位置決めするための容易な基準となる。図７を参照すると、この方法において１つに組立てられる３つの部品は、複数の固定ダイ４６を有する通常の設計（図示せず）のスウェージング加工具の中に配置される。図示された連結具では、固定ダイは通常８個である。図２に示されるように、スウェージング加工具は固定ダイ４６をカラー１６に対して、レンチ面１８の両側において、軸方向保持リッジ３６が軸方向ストップリング２８よりも小さな直径になる点までカラー１６を同時に圧縮するのに十分な力で押し、ローレット係合面４０がローレット面２４に対して強力に押圧される。この動作は、後に残る固定マーク２２によって立証される。このように、単一の動作により、ナット２０はステム１２に取付けられ、カラー１６はステム１２に対する高い回転抵抗でステム１２に固定され、また高い軸方向の移動抵抗で固定される。その結果、ホース連結具は非常に効率的に組立てられ、また使用の間に実質的に軸方向の負荷を受けるとともに装置の連結部品（図示せず）に取付けるときに連結具に実質的なトルクが発生するようなアプリケーションに対して、非常に強固である。
【００１１】
連結具は、ホース挿入部Ａ、カラー支持部Ｂ、そして係合連結部Ｃを有するように示されている。使用において、連結具１０のホース挿入部Ａはホース（図示せず）の開口端に挿入される。ホースは所定位置に密閉して締結される。連結具１０から軸方向に外れる、ホースに対する最も大きな抵抗のために、口輪４８がこの締結機能のために用いられる。口輪４８は、まず、口輪支持部Ｅの口輪くぼみ３４においてカラー１６に押し付けて固定される。そして口輪４８は、ホースの連結端のまわりに押し付けて絞られる。口輪４８はまた、ホースに押し付けて絞られる前、後、あるいはそのときに、カラー１６に押し付けて絞られてもよい。液密締結の完了は機械あるいは他の装置（図示せず）に対する取付けを含む。このような機械あるいは装置は、連結具１０に係合するために適合した機械あるいは装置の連結具（図示せず）を有する。係合連結部Ｃのナット２０は装置の連結具に緊密に螺合される。締結は、ホースの中でホースあるいは連結具１０を捻ることを避けるために、ナット２０に締付けトルクを与えるためにレンチを用いること、またレンチ面１８にステム１２に対する安定トルクを与えるためにレンチを用いることを必要とする。本発明により、実質的な軸方向荷重を支持できるステム１２とは別体であるカラー１６を有する連結具に、従来存在しなかった実質的な安定トルクが適用可能となる。
【００１２】
この好ましい実施形態はカラー１６に自由面４２を有する。これにより、標準ではないシックスフィンガー固定ダイの必要性をなくし、またレンチ面１８に関して割り出しを行う必要性をなくすことにより、押し付け固定工程が単純化される。いくつかの場合において、これはまた、装置あるいは機械の連結具（図示せず）の雄ネジから外されるときに、後退するナット２０のための大きなスペースを許容する。しかし、トルク伝達部Ｄにおいて固定マーク２２が見えることとなり、これは目障りであると考えられる。
【００１３】
他の好ましい実施形態が図８および９に示される。この実施形態では、カラー１８は自由面４２を含まない。したがって、取り外されるときにナット２０の移動に使用できるスペースは、連結具１０の全長に与えられるものに限定される。押し付け固定工程が、目障りな固定マーク２２を残すことを妨げるために、十分な表面積を用いることができるレンチ面１８に適用されることは有利である。しかし、標準ではないシックスフィンガー固定ダイが必要である。図８は、固定工程の直前の連結具１０を示し、また固定のために配置される口輪４８を含んでいる。図９は固定の完了後の連結具１０を示す。先の実施形態のように、この実施形態は口輪４８を用い、あるいは用いずに製造可能である。
【００１４】
本発明の最終的な結果は、ステムに関して実質的なトルクと軸力の両方に耐性があり、かつそれらの製品においてロウ付けを必要としないカラーを有するホース連結具である。
【００１５】
本発明の先述の記載と図示実施形態が図面に示され、種々の変形例と代替的な実施形態において詳細に説明された。しかし、本発明の先述の記載は例示に過ぎず、また本発明の範囲は従来技術の観点において解釈される請求の範囲のみに限定されるべきであることが理解されるべきである。さらに、ここに説明的に開示された本発明は、ここに明示的に開示されない要素なしに、適当に実施される。
【図面の簡単な説明】
【００１６】
【図１】好ましい実施形態のホース連結具の斜視図である。
【図２】好ましい実施形態の、１／４を除去したホース連結具の正面図である。
【図３】好ましい実施形態の、ホース連結具のステムの斜視図である。
【図４】好ましい実施形態のステムの、１/４を除去した正面図である。
【図５】好ましい実施形態の、ホース連結具のカラーの斜視図である。
【図６】好ましい実施形態のカラーの、１/４を除去した正面図である。
【図７】固定ダイを含む連結具の好ましい実施形態の、１/４を除去した部分的な正面図である。
【図８】口輪と固定ダイを含むホース連結具の他の好ましい実施形態の、１/４を除去した部分的な正面図である。
【図９】他の好ましい実施形態の、１/４を除去したホース連結具の正面図である。
【図１】
2006509161.tif 000003
【図２】
2006509161.tif 000004
【図３】
2006509161.tif 000005
【図４】
2006509161.tif 000006
【図５】
2006509161.tif 000007
【図６】
2006509161.tif 000008
【図７】
2006509161.tif 000009
【図８】
2006509161.tif 000010
【図９】
2006509161.tif 000011
【国際調査報告】
2006509161.tif 000012
2006509161.tif 000013